(57)【要約】【課題】本発明はＯＦＤＭ信号のための多重アンテナ無線送信システムにおけるアンテナの使用を管理する方法及び装置を提供する。【解決手段】この方法は送信のための性能測定基準からなるユーティリティ関数を定義することを含む、アンテナとＯＦＤＭサブキャリアとの組合せは２つの制約の下でユーティリティ関数を最適化するために選択される。第１の制約はアンテナとサブキャリアの組合せがサブキャリア毎に１つのアンテナだけを含み、第２の制約は組合せがアンテナ毎に同じ数のサブキャリアを含むことである。【選択図】図２
2009118465.tif 000002
【特許請求の範囲】
【請求項１】
アンテナとサブキャリアの選択組合せを用いる信号を送信するように構成される、２以上のサブキャリアを含む信号のための多重アンテナ無線送信システムにおいてアンテナの使用を管理する方法であって、
アンテナ及びサブキャリアの組合せのために定義されたチャンネル特性を示す性能測定基準を含むユーティリティ関数を定義すること、
アンテナとサブキャリアの前記組合せはサブキャリア毎に１つのアンテナを含む第１の制約を定義すること、
アンテナとサブキャリアの前記組合せはアンテナ毎に実質的に同じ数のサブキャリアを含む第２の制約を定義すること、
前記第１及び第２の制約に従ってユーティリティ関数を最適化するようにアンテナとサブキャリアの組合せを選択すること、を含む方法。
【請求項２】
前記第１の制約は、各サブキャリアに対して、１つのアンテナから送信するだけで定義される、請求項１の方法。
【請求項３】
前記第２の制約は、全てのアンテナに割り当てられる実質的に同じ数のサブキャリアをもつ全てのアンテナで定義される、請求項１の方法。
【請求項４】
性能測定基準はチャンネルゲインを含む、請求項１の方法。
【請求項５】
性能測定基準は信号対雑音比（SNR）を含む、請求項１の方法。
【請求項６】
性能測定基準はチャンネル容量を含む、請求項１の方法。
【請求項７】
性能測定基準はビット誤り率を含む、請求項１の方法。
【請求項８】
ユーティリティ関数は
【数１】
2009118465.tif 000018
によって定義され、但し、Ｃｋ，ｍは性能測定基準を表し、ｋはサブキャリアを表し、ｍはアンテナを表し、ｘｋ，ｍはアンテナとサブキャリアの組合せを定義する選択変数を表す、請求項１の方法。
【請求項９】
前記ユーティリティ関数を最適化する前記選択組合せは総当たりｘｋ,ｍにわたって前記ユーティリティを最大化することを含む、請求項１の方法。
【請求項１０】
ｋはサブキャリアの選択されたグループを表す、請求項１の方法。
【請求項１１】
ｋは個々のサブキャリアを表す、請求項１の方法。
【請求項１２】
前記ユーティリティ関数を最適化するようなアンテナとサブキャリアの選択組合せは整数最適化を含む、請求項１の方法。
【請求項１３】
前記最適化は分枝限定最適化方法を適用することを含む、請求項１２の方法。
【請求項１４】
ユーティリティ関数を最適化するようなアンテナとサブキャリアの選択組合せは線形緩和を含む、請求項１の方法。
【請求項１５】
ユーティリティ関数を最適化するようなアンテナとサブキャリアの選択組合せは線形プログラミング法を適用することを含む、請求項１の方法。
【請求項１６】
前記線形プログラミング法はシンプレックス法を含む、請求項１５の方法。
【請求項１７】
前記信号は直交周波数分割多重信号である、請求項１の方法。
【請求項１８】
２以上のサブキャリアを含む信号を受信機に送信するための多重アンテナ無線送信システムであって、
サブキャリアの個別の集合を送信するためアンテナを選択するアンテナ選択器と、
サブキャリアの集合のためのアンテナの所定の選択のために定義される前記測定基準を前記受信機によって受信された送信用性能測定基準を特徴付けるデータのためのデータ記憶装置と、を備え、
前記アンテナ選択器は前記性能測定基準を含むユーティリティ関数を計算し、実質的に１つのアンテナだけがサブキャリア成分の集合毎に選択される第1の制約に従って、また、所定アンテナが実質的に同じ数のサブキャリア成分の集合のために選択される第２の制約に従って前記ユーティリティ関数を最適化するようにサブキャリアの集合のためのアンテナを選択することができる、多重アンテナ無線送信システム。
【請求項１９】
サブキャリアの各集合は１つのサブキャリアを含む、請求項２０の多重アンテナ送信システム。
【請求項２０】
サブキャリアの各集合は２以上のサブキャリアの選択グループを含む、請求項１９の多重アンテナ送信システム。
【発明の詳細な説明】
【技術分野】
【０００１】
本発明は、無線送信のためのプレコーディングに関する。特に、本発明は複数のアンテナを備えた無線送信システムのためのプレコーディングに関する。更に、特に、本発明は複数のサブキャリアを持つ信号を送信する複数のアンテナを備える送信システムのためのプレコーディングに関する。更にもう一つには、本発明は直交周波数分割多重（ＯＦＤＭ）信号のためのプレコーディングに関する。
【背景技術】
【０００２】
多素子アンテナアレイを使用することによって無線通信システムの性能が改善できることはよく知られている。これは多入力単出力（ＭＩＳＯ）及び多入力多出力（ＭＩＭＯ）無線システムの広範囲の使用をもたらした。「入力」は送信アンテナを参照し、「出力」は受信アンテナを参照する。
【０００３】
しばしばプレコーディングと呼ばれる技術は無線システムの性能を改善することも周知である。性能はリンク品質及び／又は容量のような因子に関して改善できる。
【０００４】
多重アンテナ送信システムでは、プレコーディングは所定送信チャンネルの周知の特性を占めて送信される信号を事前処理することを含む。
【０００５】
プレコーディングは一般的にどの信号又は信号の成分が所定アンテナから又はその逆に送信されるかを変更することを含む。
【０００６】
直交周波数分割多重（ＯＦＤＭ）信号を送信するシステムでは、所定アンテナ又はアンテナ素子がＯＦＤＭ信号内のサブキャリア周波数に基づいて割り当てることができる。この割り当てはサブキャリア当たりの選択と呼ばれることがある。ＭＩＳＯシステムでは、例えば、単一データストリームはビットエラー率に関してリンク品質を改善するために適正なアンテナ割り当てを用いてビームフォームできる。
【０００７】
多重アンテナシステムのチャンネルがプレコーディングによって改善できる程度は送電に関する制約によって制限できる。そのような制約は任意の方向に放射されるパワーに関する制約である、有効等方性放射パワー（ＥＩＲＰ）として知られている。そのような制約はプレコーディング調整に応じて、放射パワーを低減、即ちバックオフする必要性を撤回できる。即ち、最大パワーの方向のパワーが所定制限値を超えないように送信パワーが低減される。これはリンクの性能を制限することになる。これらの制限はWiMediaのような送信基準によってしばしば課せられる。
【０００８】
EIRP制約を越える一方向の最大送信パワーを回避する方法は１つのアンテナだけから同時に送信することであってもよい。これは送信パワーが全ての方向に同じであり、送信パワーを低減する必要性を回避することを確認することである。しかしながら、この方法はプレコーディングの有効性を制限する。それはまたアンテナ間の切替と関連する損失をもたらすかもしれない。
【０００９】
ＯＦＤＭシステムに適用される、放射パワーを制御する方法は、サブキャリア当たりの基準に基づいて送信用アンテナを選択することであってもよい。この方法は送信パワー制限が周波数当たりの基準に基づいて定義されるWiMediaのような標準に準拠して特に有効と見られる。この方法の実施例は文献「‘An adaptive antenna selection scheme for transmit diversity in OFDM systems’, by Shi, M. Katayama, T. Yamazato, H. Okada, A. Ogawa, VTC Fall, 2001, vol4, pp2168-2172, Oct 2001」に示されている。この実施例では、アンテナは各アンテナによって表されるサブキャリア毎に減衰の演繹的知識に従ってサブキャリア毎に選択される。この方法の主要な欠点はアンテナがアドホック（ad hoc）基準で選択されることである。この方法はどのアンテナが送信するかを最適に選択しない。本発明は制約を持つ整数最適問題としてアンテナ選択を策定することによってこれを打開している。
【００１０】
サブキャリア当たりのアンテナ選択は１つのアンテナが他のアンテナより多くのサブキャリアを割り当てられてもよい制限を受け、それ故により大きなパワーを送信することになる。アンテナ間のパワーのこの不均衡は関連するパワー増幅器に対して問題となり、再び、性能を制限する、送信パワーの低減を必要となる可能性がある。
【００１１】
他の方法は送信周波数の全帯域に基づいてアンテナを選択することである。例えば、ＯＦＤＭの全てのサブキャリアは１つのアンテナだけに送信してもよい。この方法は個々のサブキャリア周波数に基づいてアンテナ選択を可能にする方法と比べてプレコーディングの効果を制限するかもしれない。この方法は周波数帯域に基づいてアンテナ間を切替えるときのロスに起因する制限を受ける可能性もある。これに対して、ＯＦＤＭサブキャリア周波数に基づいて切替えると、２つ以上のアンテナでデジタルに同時に送信することが可能である。
【発明の開示】
【発明が解決しようとする課題】
【００１２】
本発明の態様はアンテナ当たりのサブキャリア数の制約かでチャンネル性能を含むユーティリティ関数を最適化することによって多重アンテナ送信システムにプレコーディングを適用する方法を提供する。
【課題を解決するための手段】
【００１３】
この方法は多重アンテナ送信システムが異なるアンテナ間で送信パワーのバランスをとりながら性能について最適化されることを可能にする。これは等方性パワー制約を越える前に比較的高い送信パワーを可能にする。これが等方性パワー制約を越えるのを避けるため送信パワーを減少する必要性を回避する。
【００１４】
一態様では、本発明はアンテナとサブキャリアの選択組合せを用いて信号を送信できる、２以上のサブキャリアを含む信号のための多重アンテナ無線送信システムに対してアンテナを選択する方法であって、
アンテナ及びサブキャリアの組合せのためにチャンネルの性能を示す性能測定基準を含むユーティリティ関数を定義すること、
アンテナとサブキャリアの前記選択組合せはサブキャリア毎に１つのアンテナだけを含む第１の制約を定義すること、
アンテナとサブキャリアの前記選択組合せはアンテナ毎に実質的に同じ数のサブキャリアを含む第２の制約を定義すること、
前記第１及び第２の制約に従ってユーティリティ関数を最適化するようにアンテナとサブキャリアの組合せを選択すること、を含む方法を提供する。
【００１５】
ここで使用されるように、ユーティリティ関数は最適化が評価される関数であるように数学的最適化の分野内での意味を有することを意図している。これに関連して、用語「ユーティリティ」は広い解釈を与えており、「最適化」は「ユーティリティ関数」を最大化しようとしてもよく、ユーティリティ関数の性質に依存してそれを最小化しようとしてもよい。
【００１６】
第1の制約は１つのアンテナだけがサブキャリア単位で送信される要求として定義できる。
【００１７】
第1の制約は次のように数学的に説明されてもよい。即ち、
【数２】
2009118465.tif 000003
【００１８】
第２の制約は各アンテナが割り当てられる全てのサブキャリアの合計がアンテナの範囲にわたって実質的に1以上に分岐しない要求として定義してもよい。
【００１９】
第２制約は次のように定義してもよい。即ち、
【数３】
2009118465.tif 000004
【００２０】
ｋはサブキャリアを示し、ｍはアンテナを示し、ｘｋ，ｍはアンテナとサブキャリアの組合せを定義する選択変数を示し、Ｍはアンテナの合計数を示し、Ｋはサブキャリアの合計数を示し、ｘｋ，ｍは選択組合せに対して１の値及びそれ以外で０の値を持つ。
【００２１】
アンテナ選択は制約を伴う整数最適化問題として策定される。ユーティリティ関数は
【数４】
2009118465.tif 000005
【００２２】
として定義できる。
【数５】
2009118465.tif 000006
【００２３】
性能測定基準はビットエラー率であってもよい。ビットエラー率は、ＢＰＳＫ変調の場合、
【数６】
2009118465.tif 000007
【００２４】
但し、Q()はQ-関数である。この場合には、ユーティリティ関数は最小にすべきである。
【００２５】
上記測定基準は１つの受信アンテナによって本発明の実施形態でのサブキャリアｋでアンテナｍに送信するユーティリティを反映する。複数、例えばＮ個の受信アンテナを持つ実施形態では、測定基準はアンテナの組合せ効果を測定するために定義できる。例えば、容量については、
【数７】
2009118465.tif 000008
【００２６】
最適化はｘｋ，ｍにわたって前記ユーティリティ関数を最小化することを含んでもよい。
【００２７】
最適化はｋ及びｍにわたり前記ユーティリティ関数を最小化することを含めてもよい。
【００２８】
文字ｋはサブキャリアの選択グループを示してもよい。これは少数の変数にわたり最適化を可能にしてもよい。
【００２９】
また、ｋは個別のサブキャリアを示してもよい。
【００３０】
最適化は整数最適化を含めてもよい。
【００３１】
ユーティリティ関数の最適化は線形緩和を含んでもよい。
【００３２】
ユーティリティ関数の最適化は線形プログラミング方法を適用することを含んでもよい。
【００３３】
線形プログラミング方法は単純方法を含んでもよい。
【００３４】
最適化は分枝限定最適化方法を適用することを含んでもよい。
【００３５】
信号は直交周波数分割多重信号であってもよい。
【００３６】
他の態様では、本発明は２以上のサブキャリアを含む信号を受信機に送信するための多重アンテナ無線送信システムであって、
サブキャリアの個別の集合を送信するためアンテナを選択するアンテナ選択器と、
サブキャリアの集合のためのアンテナの所定の選択のために定義される前記測定基準を前記受信機によって受信された送信用性能測定基準を特徴付けるデータのためのデータ記憶装置と、を備え、
前記アンテナ選択器は前記性能測定基準を含むユーティリティ関数を計算し、実質的に１つのアンテナだけがサブキャリア成分の集合毎に選択される第1の制約に従って、また、所定アンテナが実質的に同じ数のサブキャリア成分の集合のために選択される第２の制約に従って前記ユーティリティ関数を最適化するようにサブキャリアの集合のためのアンテナを選択することができる、多重アンテナ無線送信システムを提供する。
【００３７】
信号は直交周波数分割多重信号を含んでもよい。
【発明を実施するための最良の形態】
【００３８】
図１はＭＩＳＯ送信システム１を示す。このシステムは２つの入力アンテナ２及び３並びに単一の出力アンテナ４を有する。この送信システム１は好適実施形態の動作を示すために与えられた簡単な実施例である。
【００３９】
送信システム１はＯＦＤＭ信号の個々のサブキャリアにアンテナ２及びアンテナ３のような個々のアンテナを選択できる時空間符号器を有する。当業者は‘サブキャリア当たりのアンテナ選択’としてこの形式の時空間符号器を認識し、アンテナ選択器として時空間符号器を認識できる。
【００４０】
時空間符号器５は好適実施形態に従ったチャンネルインタリーバ（図示せず）を含むチャンネル符号器６によってＯＦＤＭ信号を供給される。チャンネル符号器６はデータ入力７からデータストリームによって供給される。時空間符号器５はコントローラ、コンピュータ又はプロセッサ、８を含む。コントローラ８は送信用性能測定基準に関するデータを取得できる。このデータはチャンネル相互関係又は帰還のような手段によって取得してもよい。データ入力と受信機との通信はコントローラがチャンネル伝達関数の大きさに関するビットエラー率又はチャンネル容量若しくは行列のようなシステム１の送信チャンネルの性能測定基準を決定することを可能にする。当業者はこれらの測定基準を決定するための代替手段を知っており、コントローラ８は時空間符号器６内に取り込んでもよいことを分かっている。ここで説明されている好適実施形態では、コントローラ８はシステム１に対してプレコーディング最適化を行うコンピュータを有している。
【００４１】
数値例は本発明を説明するために与えられている。性能測定基準がチャンネル容量となるように選択される場合にＭ＝３アンテナ及びＫ＝８サブキャリアを持つシステムを仮定する。
【表１】
2009118465.tif 000009
【００４２】
【表２】
2009118465.tif 000010
【００４３】
であることを意味する。
【００４４】
合計容量は5.7108で最大となるけれども、アンテナ１，２及び３が３，４及び１のサブキャリアをそれぞれ有するのでパワーはアンバランスとなる。これはアンテナ２がアンテナ３のパワーの４倍を送信することになることを意味する。本発明の好適実施形態によると、最適化は第１及び第２制約
【数８】
2009118465.tif 000011
【００４５】
によって行われる。この最適化の解決は
【表３】
2009118465.tif 000012
【００４６】
である。ここで、合計容量は制約されない最適化のそれに近似する5.7067である。パワーはアンテナ１，２及び３が３，３及び２サブキャリアに対してそれぞれ選択されるので比較的均衡している。
【００４７】
当業者はこれら制約から若干の逸脱は本発明に従って行われるプレコーディング最適化に重要でない効果を有するかもしれないことを理解するであろう。逸脱は最大パワーの方向に測定されたシステムの放射パワーがＥＩＲＰ制約を越えさせる可能性があり、それゆえに送信パワー及びシステム性能の対応する低下を低減する必要性を招くかもしれない。第１制約からの逸脱は２つのアンテナが同じサブキャリアに対して選択されれば、例えば干渉を生じさせるかもしれない。しかしながら、これら制約からの若干の逸脱は、所定環境では、システム性能のどのような重要な低下を生じさせないことは熟練受信者には明らかである。
【００４８】
この最適化問題は当業者に明らかな複数の技術によって解決できることは当業者には明らかであろう。これら技術はｘｋｍのような整数変数が連続値を呈することができると仮定する線形緩和を含んでもよい。これはシンプレックス法及び修正シンプレックス法のような線形プログラミング技術が使用されるのを可能にする。分枝限定最適化のような他の技術が代わりのものとして使用されてもよいことも当業者には明らかである。代替実施形態はチャンネル伝達関数の大きさのようなチャンネルの知識の利点を取ってもよい。これは図１の受信機９からコントローラ８への帰還を介して見つけてもよく、相互関係のような技術によって決定されてもよい。適切な相関関係又は帰還方式は当業者には明らかである。
【００４９】
好適実施形態では、チャンネルの知識はユーティリティ関数の計算中に参照されるように、例えば、ルックアップテーブルに記憶されてもよい。
【００５０】
本発明の１つの代替実施形態はｋがサブキャリアのグループを表す場合最適化を行う。この場合、Ｃｋｍ及びｘｋｍはサブキャリアｋよりむしろグループｋに対する性能行列及び選択変数を示す。本発明の所定のアプリケーションにおいて複雑さを低減するに適するサブキャリアのグループ分けは当業者には明らかであろう。
【００５１】
図２は本発明の好適実施形態に従った、図１のコントローラ８によって行われるプレコーディング最適化処理４０を示す。
【００５２】
処理はステップ４１で開始する。
【００５３】
ステップ４２で性能測定基準は送信システム１について定義される。
【００５４】
ステップ４３で選択変数が定義される。好適実施形態の選択変数はアンテナｍがサブキャリアｋを送信するために選択される場合１として定義され、そうでなければ０として定義される。
【００５５】
ステップ４４でユーティリティ関数はシステム１に対して定義される。ユーティリティ関数は性能行列Ｃｋｍ及び選択行列ｘｋｍの積の合計である。この合計は全てのｋ及びｍわたって行われる。
【００５６】
ステップ４５で第１の制約がプレコーディング最適化のために定義される。この制約はサブキャリア当たり１つのアンテナだけが送信に使用できることである。
【００５７】
ステップ４６で第２の制約がプレコーディング最適化ために定義される。この制約はアンテナ当たりほぼ同数のサブキャリアが送信に使用されなければならないことである。
【００５８】
ステップ４７でユーティリティ関数は整数最適化として第１及び第２制約に従って最適化される。
【００５９】
ユーティリティ関数は
【数９】
2009118465.tif 000013
【００６０】
【数１０】
2009118465.tif 000014
【００６１】
代替実施形態では、性能測定基準がビットエラー率であってもよい。ビットエラー率は、（シフトキーBPSK変調を持つ）二値の場合、
【数１１】
2009118465.tif 000015
【００６２】
但し、Q()はQ-関数である。この実施形態では、ユーティリティ関数はエラー率を最小にするように最小化される。
【００６３】
上記測定基準は１つの受信アンテナで本発明の実施形態におけるサブキャリアｋのアンテナｍに送信する利点を反映する。複数、例えば、Ｎ個の受信アンテナを持つ実施形態では、測定基準はアンテナの組合せ効果を測定するために定義し得る。例えば、容量は
【数１２】
2009118465.tif 000016
【００６４】
【数１３】
2009118465.tif 000017
【００６５】
この処理はプレコーディング行列によってステップ４８で終了する。このプレコーディング行列はアンテナ間の大きなパワーアンバランスを最小にする第１及び第２制約内でユーティリティ関数を最適化するアンテナ選択を示す。
【００６６】
本発明は同じパワーを持つ全てのアンテナによってプレコーディング最適化を可能にすることによってＥＩＲＰ制約に適合しなければならない送信システムに対して改良されたプレコーディング最適化を可能にする。これは非能率であるパワー体制で動作するためアンテナと関連するパワー増幅器の電力を減少する必要性又はパワー増幅器を強化する必要性を除くことによってシステムの性能を高めることができる。
【００６７】
図３はコントローラ８として（ソフトウェア又はアプリケーション特定ハードウェアコンポーネントによって）動作可能に構成されるハードウェアを概略的に示している。コントローラ８はワーキングメモリ１１２に記憶され及び／又は大容量記憶装置１１６から検索可能な機械コード命令を実行できるプロセッサ１１０によって構成される。汎用バス１１４によって、ユーザ動作可能入力装置１１８がプロセッサ１１０と通信できる。ユーザ動作入力装置１１８は、この実施例では、キーボード及びマウスで構成される。これは他のタイプのポインティング装置、ライティングテーブル、音声認識手段又はユーザ入力動作が解釈でき、データ信号に変換できる任意の他の手段のような任意の他の入力装置も又は代替として設けることができることは言うまでもない。
【００６８】
オーディオ／ビデオ出力ハードウェア装置１２０がユーザへ情報を出力するために更に汎用バス１１４に接続される。オーディオ／ビデオ出力ハードウェア装置１２０は画像表示装置、スピーカ又はユーザに情報を提示できる他の装置を含むことができる。
【００６９】
汎用バス１１４に接続される通信ハードウェア装置１２２はアンテナ２６に接続される。図３に示す実施形態では、ワーキングメモリ１１２はユーザアプリケーション１３０を記憶する。これは、プロセッサ１１０によって実行されると、ユーザインタフェースの確立がユーザに対してデータ通信を可能にさせる。この実施形態でのアプリケーションはユーザによって常に使用されるかもしれない汎用又は特定のコンピュータ実行ユーティリティを確立する。
【００７０】
特定の実施形態に従った通信ファシリティもアプリケーション１３０の１つの実行において生成されるデータを処理でき、それから送信ための及び他の通信装置と通信するための通信ハードウェア装置１２２に送ることができる通信プロトコルを確立するためにワーキングメモリ１１２に格納される。アプリケーション１３０及び通信ファシリティ１３２を定義するソフトウェアが便宜上、ワーキングメモリ１１２及び大容量記憶装置１１６に一部格納されてもよい。メモリマネージャはワーキングメモリ１１２及び大容量記憶装置１１６に記憶されたデータへのアクセスの考えられる異なる速度を考慮するために、これが効率的に管理できるように付随的に設けることができる。
【００７１】
通信ファシリティ１３２とプロセッサ実行可能命令をプロセッサ１１０によって実行するとき、プロセッサ１１０は認識通信プロトコルに従って他の装置との通信を確立できる。通信ファシリティ１３２、プロセッサ１１０及び通信ハードウェア装置１２２の間において、無線端末１４はＭＩＭＯチャンネル２８を介してデータの送受信を確立するための無線アクセスポイントと同様にファシリティを提供できる。
【００７２】
図４は本発明によって提供されるＭＩＳＯ送信システムの性能の改善を示している。これらの結果は本発明の実施形態のシミュレーション及び本発明に対して一般的な代わりのもののシミュレーションによって得られている。
【００７３】
図４は横座標にサンプル単位でのチャンネル長が示され、縦座標にヘルツ当たりの秒単位ビットの単位でのエルゴード容量が示されているグラフを示す。
【００７４】
このグラフは最良の性能を示すことを期待しているが、ＥＩＲＰパワー制約内にあり続けることを保証できない通常の‘非制約’システムの形態を示している。本発明の好適実施形態に従った‘制約’システムは凡例の‘提案技術’によっても表される。グラフも同じ数のサブキャリアを全てのアンテナに割り当てる一般的／サブキャリアアンテナ選択に従って最適化されるシステムの凡例の‘Shi et alによる方法’によって、代表例を示している。‘背景’において検討した一般的方法はチャンネル容量に関して定義されるユーティリティ関数を用いて最適化する。
【００７５】
図４のグラフに示される代表例はＭ＝４入力アンテナ、ｋ＝６４ＯＦＤＭサブキャリア及び１５ｄＢのＳＮＲを持つＯＦＤＭ  ＭＩＳＯシステムのシミュレーションによって与えられる。図４から明らかなように、本発明に従った最適化は送信パワーがＥＩＲＰ制限内にあることを確実にするために制約される最適化の任意のシステムの最高性能を提供している。実際に、より長いチャンネル長に対して、本発明に従った最適化によって得られる性能は完全に非制約最適化の性能に非常に近接することは明らかである。
【００７６】
上記のことは本発明の実施の１つの例に過ぎず、他の形態では、変更及び利点は異なる実施形態において本発明を使用することに起因してもよいことは読み手には分かる。保護の範囲は添付の請求項によって規定されることを意図している。請求項は図面を参照して明細書を考慮して解釈されるべきであり上記に限定されるべきでない。
【図面の簡単な説明】
【００７７】
【図１】本実施形態の好適化に従ったアンテナのサブキャリア当たりの選択によってＭＩＳＯ  ＯＦＤＭシステムを示す概略図である。
【図２】図１及び表１と同じ本発明の好適実施形態に従って行われる方法のフロー図である。
【図３】図１及び２と同じ本発明の好適実施形態に従った方法を行うことができるコントローラの概略図である。
【図４】本発明の好適実施形態のシミュレーションの結果を示す。
【図１】
2009118465.tif 000019
【図２】
2009118465.tif 000020
【図３】
2009118465.tif 000021
【図４】
2009118465.tif 000022
【外国語明細書】
2009118465000001.pdf